【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
監視空間を撮影可能に設置された撮影装置が撮影した映像データと、前記監視空間における移動体の位置に関する位置情報と、前記映像データ中に前記移動体が存在する存在時刻範囲に関する存在情報とを取得する取得手段と、
前記位置情報に基づいて、前記監視空間における前記移動体の移動軌跡を表示する軌跡表示手段であって、前記存在情報に基づいて、前記移動軌跡において前記移動体が前記映像データ中に存在する区間と前記移動体が前記映像データ中に存在しない区間とを識別可能に表示する軌跡表示手段と、
前記移動軌跡上の指定区間に対応する映像データを再生表示させる再生表示手段と、
を備えることを特徴とする情報処理装置。
【請求項２】
移動体を指定するための移動体指定手段を備え、
前記軌跡表示手段は、前記移動体指定手段で指定された移動体の移動軌跡を表示する
ことを特徴とする請求項１に記載の情報処理装置。
【請求項３】
前記再生表示手段により再生表示されている映像データに存在する移動体の位置を示すポインタを前記移動軌跡上に表示するポインタ表示手段を備えることを特徴とする請求項１又は２に記載の情報処理装置。
【請求項４】
前記映像データの再生表示の開始指示に応じて、前記移動軌跡に沿って、前記移動体が前記映像データ中に存在する区間の開始位置から前記ポインタを移動させるポインタ移動手段を備え、
前記再生表示手段は、前記ポインタ移動手段により移動された前記ポインタが示す位置に前記移動体が存在したときに撮影された映像データを再生表示する
ことを特徴とする請求項３に記載の情報処理装置。
【請求項５】
前記軌跡表示手段は、前記移動軌跡において前記移動体が前記映像データ中に存在する区間のそれぞれが複数の前記撮影装置のいずれによって撮影されたものであるかを識別可能なように前記移動軌跡を表示させることを特徴とする請求項１乃至４のいずれか１項に記載の情報処理装置。
【請求項６】
前記存在情報に基づいて、前記映像データ中に前記移動体が存在する存在時刻範囲を時間軸上に表示する時間軸表示手段を有し、
前記再生表示手段は、前記時間軸上の指定区間に対応する映像データを再生表示させる
ことを特徴とする請求項１乃至５のいずれか１項に記載の情報処理装置。
【請求項７】
前記時間軸表示手段は、前記移動軌跡上の存在時刻範囲のそれぞれが前記撮影装置のいずれによって撮影されたものであるかを識別可能なように前記時間軸を表示させる
ことを特徴とする請求項６に記載の情報処理装置。
【請求項８】
前記映像データのうち、前記移動軌跡上の指定区間から予め定められた間隔で代表映像フレームを抽出する抽出手段と、
前記代表映像フレームに基づく画像を表示させる画像表示手段と、
を備えることを特徴とする請求項１乃至７のいずれか１項に記載の情報処理装置。
【請求項９】
前記代表映像フレームに基づく画像と、当該代表映像フレームの撮影時刻に前記移動体が存在した前記移動軌跡上の位置とを結ぶ引出線を表示する引出線表示手段を備え、
前記画像表示手段は、前記代表映像フレームに基づく画像のそれぞれが重ならないように表示する
ことを特徴とする請求項８に記載の情報処理装置。
【請求項１０】
前記代表映像フレームに基づく画像のうちの２つが選択されたことに応じて、
当該２つの画像それぞれに対応する２つの代表映像フレームそれぞれの撮影時刻の間に撮影された映像データをプレイリストに登録する登録手段
を備えることを特徴とする請求項８又は９に記載の情報処理装置。
【請求項１１】
前記取得手段は、前記監視空間の平面図を表示するための形状データを含む監視空間情報を取得し、
前記情報処理装置は、前記監視空間情報に基づいて前記監視空間の平面図を表示する監視空間表示手段を備え、
前記軌跡表示手段は、前記監視空間の平面図に前記移動軌跡を表示する
ことを特徴とする請求項１乃至１０のいずれか１項に記載の情報処理装置。
【請求項１２】
情報処理装置が行う情報処理方法であって、
取得手段が、監視空間を撮影可能に設置された撮影装置が撮影した映像データと、前記監視空間における移動体の位置に関する位置情報と、前記映像データ中に前記移動体が存在する存在時刻範囲に関する存在情報とを取得する取得工程と、
軌跡表示手段が、前記位置情報に基づいて、前記監視空間における前記移動体の移動軌跡を表示する軌跡表示工程であって、前記存在情報に基づいて、前記移動軌跡において前記移動体が前記映像データ中に存在する区間と前記移動体が前記映像データ中に存在しない区間とを識別可能に表示する軌跡表示工程と、
再生表示手段が、前記移動軌跡上の指定区間に対応する映像データを再生表示させる再生表示工程と、
を備えることを特徴とする情報処理方法。
【請求項１３】
コンピュータを、
監視空間を撮影可能に設置された撮影装置が撮影した映像データと、前記監視空間における移動体の位置に関する位置情報と、前記映像データ中に前記移動体が存在する存在時刻範囲に関する存在情報とを取得する取得手段、
前記位置情報に基づいて、前記監視空間における前記移動体の移動軌跡を表示する軌跡表示手段であって、前記存在情報に基づいて、前記移動軌跡において前記移動体が前記映像データ中に存在する区間と前記移動体が前記映像データ中に存在しない区間とを識別可能に表示する軌跡表示手段、
前記移動軌跡上の指定区間に対応する映像データを再生表示させる再生表示手段、
として機能させるためのプログラム。
【手続補正２】
【補正対象書類名】明細書
【補正対象項目名】００１４
【補正方法】変更
【補正の内容】
【００１４】
上記課題を解決するために、第１の本発明は、監視空間を撮影可能に設置された撮影装置が撮影した映像データと、前記監視空間における移動体の位置に関する位置情報と、前記映像データ中に前記移動体が存在する存在時刻範囲に関する存在情報とを取得する取得手段と、前記位置情報に基づいて、前記監視空間における前記移動体の移動軌跡を表示する軌跡表示手段であって、前記存在情報に基づいて、前記移動軌跡において前記移動体が前記映像データ中に存在する区間と前記移動体が前記映像データ中に存在しない区間とを識別可能に表示する軌跡表示手段と、前記移動軌跡上の指定区間に対応する映像データを再生表示させる再生表示手段と、を備えることを特徴とする情報処理装置を提供する。
【手続補正３】
【補正対象書類名】明細書
【補正対象項目名】００１５
【補正方法】変更
【補正の内容】
【００１５】
また、第２の本発明は、情報処理装置が行う情報処理方法であって、取得手段が、監視空間を撮影可能に設置された撮影装置が撮影した映像データと、前記監視空間における移動体の位置に関する位置情報と、前記映像データ中に前記移動体が存在する存在時刻範囲に関する存在情報とを取得する取得工程と、軌跡表示手段が、前記位置情報に基づいて、前記監視空間における前記移動体の移動軌跡を表示する軌跡表示工程であって、前記存在情報に基づいて、前記移動軌跡において前記移動体が前記映像データ中に存在する区間と前記移動体が前記映像データ中に存在しない区間とを識別可能に表示する軌跡表示工程と、再生表示手段が、前記移動軌跡上の指定区間に対応する映像データを再生表示させる再生表示工程と、を備えることを特徴とする情報処理方法を提供する。
【手続補正４】
【補正対象書類名】明細書
【補正対象項目名】００１６
【補正方法】変更
【補正の内容】
【００１６】
また、第３の本発明は、コンピュータを、監視空間を撮影可能に設置された撮影装置が撮影した映像データと、前記監視空間における移動体の位置に関する位置情報と、前記映像データ中に前記移動体が存在する存在時刻範囲に関する存在情報とを取得する取得手段、前記位置情報に基づいて、前記監視空間における前記移動体の移動軌跡を表示する軌跡表示手段であって、前記存在情報に基づいて、前記移動軌跡において前記移動体が前記映像データ中に存在する区間と前記移動体が前記映像データ中に存在しない区間とを識別可能に表示する軌跡表示手段、前記移動軌跡上の指定区間に対応する映像データを再生表示させる再生表示手段、として機能させるためのプログラムを提供する。